(57)【要約】      （修正有）【課題】湿気を部屋に充満させることなく、少ない消費電力でむらなく布団の乾燥ができるパネル式布団乾燥機を提供する。【解決手段】本体の形状を薄い密閉型のパネル状箱体とし、布団を掛ける棒を箱体中心に取り付け、布団の掛けやすさを考慮し、上部と左側面・正面が全開する扉を取り付けた。【選択図】図２
0003153827.tif 000002
【実用新案登録請求の範囲】
【請求項１】
密閉されたパネル内に入れた布団を除湿機により乾燥する布団乾燥機
【請求項２】
マンション等の建物の壁内に組込可能な布団乾燥機
【請求項３】
部屋の除湿機としても利用可能な布団乾燥機
【請求項４】
ＵＶランプ内臓で除菌機能がついた布団乾燥機
【請求項５】
表面のパネル交換が可能で、色々な模様や色のバリエーションを楽しめる布団乾燥機
【請求項６】
少量の衣類や小物の乾燥が可能な布団乾燥機
【考案の詳細な説明】
【技術分野】
【０００１】
本考案は、密閉されたパネル内に入れた布団を除湿機により乾燥するものであ
る。マンション等の建物の壁内に組込可能である
【背景技術】
【０００２】
従来、
（１）  温風又は熱風を吹き込む布団乾燥機がある。
特開平11-033295,特開2005-237876, 特開2002-035489, 特開平11-033297, 特開平11-033294, 特開平08-141288, 特開平08-089694, 特開平7-155496,特開平07-136394, 特開平07-068092, 特開平07-068091, 特開平6-327893, 特開平06-319897, 特開平06-292792, 特開平06-091098, 特開平5-337290,特開2001-113098  など
（２）  温風を吹き込む布団乾燥機を応用した布団・カバーや袋がある。
特開2007-252488, 特開2007-209684, 特開2002-336109, 特開平8-200946,特開平07-329987, 特開平07-265590,特開2007-209691, 特開平11-342058, 特開平11-155695, 特開平05-154029, 特開平05-154028  など
（３）  熱風を供給して乾燥するドラム式の布団乾燥機はある。
特開2002-035490
（４）  布団乾燥機付除湿機はある。
特開2001-296083
（５）  発熱シートが両面についた衝立状の布団乾燥機に布団を掛けロールカーテンで覆い熱によりかんそうする布団乾燥機がある。
特開2004-313412
（６）  温風吹き込み布団乾燥機からの排気をクリーンにする装置はある。
特開平10-127992
（７）  高温になるための温度制御装置がある。
特開平06-238098, 特開平06-225994
（８）押入れ床直下に設置の温風発生式布団乾燥機がある。
特開2001-157800
（９）ヒートポンプ式の除湿機構の乾燥機がある。
特開昭61-68097
【考案の概要】
【考案が解決しようとする課題】
【０００３】
そのために、次のような問題点があった。
（イ）上記（１）のような温風又は熱風を吹き込む布団乾燥機や（５）のような発熱シートによる乾燥では布団の湿気が部屋に充満する。
（ロ）重い布団だと袋状の布が膨らまず、吹き込み口部分しか乾燥できず、乾燥にむらができた。→  特開2001-046798様な補助具が必要となる
また、乾燥にむらが出たり広げた時に場所をとるなどの問題があり、上記（２）の様に袋に工夫が必要となる。
（ハ）上記（３）のようなドラム式は場所をとり、一般家庭にはむかない。また乾燥時に中綿が偏ったり、生地が損傷するなどがある。
（ニ）上記（４）のような布団乾燥機付除湿機はあるが、これも袋に送風するものである。
（ホ）温風を吹き込む布団乾燥では排気がでる。排気にホコリやダニがまざるので上記（６）のように排気をクリーンにする装置などが必要とされる
（ヘ）温風を送付すると、布団内に熱気がたまり高温になるため、上記（７）のよに温度制御機能が必要とされる。
（ト）上記（８）のように押入床直下に設置のものがあり、部屋のスペースはとらないが、設置した部分に荷物を入れた場合、使用する度荷物をださなければならない。
（チ）熱を使用する場合電力消費が大きい。
（リ）熱を使用しているので、乾燥時にはそばにいる必要がある。
（ヌ）除湿機による上記（９）のような布団乾燥機はあるが布団を何枚も収納できる乾燥室に設置するもので、場所をとり一般家庭にはむかない。
（ル）最近のマンションは高層になり、ベランダに布団を干せない。
（ヲ）北陸の冬は布団を干せるような晴れた日がほとんど無い。幼児の突然のおねしょにも対応可能である。
本考案は、これらの問題点を解決するためになされたものである。
【課題を解決するための手段】
【０００４】
密閉されたパネル内に布団を掛け、除湿機により乾燥する。
マンション等の建物の壁内に組込可能である。
切替により部屋の除湿も可能である。
【考案の効果】
【０００５】
除湿機による乾燥であるため、湿気が部屋に充満しない。
布団の乾燥にむらが無い。
消費電力が少なくてすむ。
熱が発生しないので、使用時に場所を離れても問題ない。
建物の壁内に組込めば場所をとらない。
【図面の簡単な説明】
【０００６】
【図１】全体のイメージを示した図である。
【図２】製作するときの詳細を示した図である。
【図３】建物の壁内に組み込んだ場合を示した図である。
【考案を実施するための最良の形態】
【０００７】
以下、本考案の実施の形態について説明する。
（イ）図１のような布団がはいる密閉されたＢＯＸをつくる。（パッキン取付）
（ロ）扉を図２Ａ・Ｂのようにもうけ、布団を掛けやすくする。
（ハ）図２Ｃに布団を掛ける。  Ｃの布団掛け棒が変形しないよう、中心と端に縦方向に補強棒をもうける。
（ニ）背面と扉で布団を挟みこむような構造とし、ＢＯＸを極力薄いものとする。
（ホ）サイズはシングル，セミダブル，ダブルサイズなど大きさを変える。
（ヘ）内側にメッシュの内壁を設け、外壁と布団の間に給排気循環用空間を確保する。
（ト）底面にキャスターを設け移動可能とする。
（チ）移動時に倒れないよう強力磁気ストッパーを背面に取り付けて移動する。保管時には背面のストッパーをはずし、背面を壁に密着させて保管する。
（リ）Ｌ字の倒れ防止ブラケットをＢの正面扉下に設け、キャスターを取り付ける。これにより、扉を開けたときに倒れないよう、倒れ防止構造とする。
（ヌ）除湿機で内部の布団を乾燥するが、部屋の除湿機としても利用可能とする。
（ル）布団乾燥時は布団を掛ける本体ＢＯＸと除湿機が入るＢＯＸ間に吸気口・排気口をもうけ、布団を乾燥する。部屋を除湿するときは除湿機が入る本体の正面上部のパンチング面より室内の空気を吸気・排気し、部屋の除湿をする。
（ヲ）ＵＶランプ内臓で除菌機能をつける（扉が完全に閉まっている場合にのみ作動するよう、安全対策をしっかりとる）
（ワ）外壁のパネル交換を可能にし、色々な模様や色のバリエーションを楽しめるようにする。
（カ）図３のようにマンション等の建物の壁内に組込み可能なものもつくる。この場合、正面扉のみ開閉可能とし、布団掛け棒は引き出し式とし布団を掛けやすくする。高層マンションでベランダで布団が干せない場合でも、いつでも干せる。操作面はマンション壁の操作しやすい高さに設置する。
（ヨ）乾燥完了後自動停止機能やタイマー機能を設ける。
（タ）除湿により排出された水は除湿機ＢＯＸ下の扉より取り出す。
（レ）上扉,正面扉に開閉しやすいよう、取手をつける。
（ソ）天気を気にせずいつでも布団が干せる。
（ツ）吸気口,排気口にフィルターをもうけ、布団や部屋のホコリが除湿機内に入らないようにする。
（ネ）Ｃの布団干し棒下にも横方向に数本棒を入れることにより、タオルや小物の乾燥にも使用可能とする。
【符号の説明】
【０００８】
Ａ  上面扉
Ｂ  左側面・正面扉
Ｃ  布団掛け棒
【図１】
0003153827.tif 000003
【図２】
0003153827.tif 000004
【図３】
0003153827.tif 000005
【手続補正書】
【提出日】平成21年6月12日(2009.6.12)
【手続補正１】
【補正対象書類名】実用新案登録請求の範囲
【補正対象項目名】全文
【補正方法】変更
【補正の内容】
【実用新案登録請求の範囲】
【請求項１】
本体の形状を薄い密閉型のパネル状箱体とし、布団を掛ける棒を箱体中心に取り付け、布団の掛けやすさを考慮し、上部と左側面・正面が全開する扉を取り付けた、除湿機によるパネル式布団乾燥機
【請求項２】
本体の形状を薄い密閉型のパネル状箱体とし、布団を掛ける棒を箱体中心に取り付け、布団の掛けやすさを考慮し、布団掛け棒を手前へ引き出せるようにし、正面が全開する扉を取り付けた、建物の内壁に組込むことができる、除湿機によるパネル式布団乾燥機
【請求項３】
布団乾燥と室内除湿の切替がつき、部屋の除湿機としても使用可能な、請求項１および請求項２記載の布団乾燥機
【請求項４】
ＵＶランプが内蔵された、除菌機能がついた請求項１および請求項２記載の布団乾燥機
【請求項５】
正面扉のパネル交換が可能で、色々な模様や色のバリエーションを楽しめる請求項１および請求項２記載の布団乾燥機
【手続補正２】
【補正対象書類名】図面
【補正対象項目名】図２
【補正方法】変更
【補正の内容】
【図２】
0003153827.tif 000006
【手続補正書】
【提出日】平成21年7月21日(2009.7.21)
【手続補正１】
【補正対象書類名】実用新案登録請求の範囲
【補正対象項目名】請求項３
【補正方法】変更
【補正の内容】
【請求項３】
布団乾燥と室内除湿の切替がつき、部屋の除湿機としても使用可能な、請求項１または請求項２記載の布団乾燥機
【手続補正２】
【補正対象書類名】実用新案登録請求の範囲
【補正対象項目名】請求項４
【補正方法】変更
【補正の内容】
【請求項４】
ＵＶランプが内蔵された、除菌機能がついた請求項１または請求項２記載の布団乾燥機
【手続補正３】
【補正対象書類名】実用新案登録請求の範囲
【補正対象項目名】請求項５
【補正方法】変更
【補正の内容】
【請求項５】
正面扉のパネル交換が可能で、色々な模様や色のバリエーションを楽しめる請求項１または請求項２記載の布団乾燥機